(57)【特許請求の範囲】
【請求項１】
複数の交換装置と、前記各交換装置について共通に設けられた網制御装置と、前記各交換装置について個別に設けられた加入者情報管理装置とを備え、前記各交換装置が、複数の加入者端末を収容するとともに当該各加入者端末を示す加入者番号を記憶した加入者番号記憶部を有する、加入者情報登録システムであって、
前記網制御装置は、いずれかの加入者端末から加入者が入力した加入者番号および加入者番号以外の加入者情報を直接受信した場合、当該加入者番号および加入者情報を含む呼制御信号である加入者情報通知信号をいずれかの交換装置に送信し、
前記加入者情報通知信号を受信した交換装置は、受信した前記加入者情報通知信号から加入者番号を取り出し、当該加入者番号が当該交換装置の前記加入者番号記憶部に記憶されているか否かを判定し、加入者番号が加入者番号記憶部に記憶されていると判定された場合、当該加入者情報通知信号から加入者情報を取り出し、当該加入者番号および加入者情報を含む加入者情報登録信号を、当該交換装置について設けられた加入者情報管理装置に送信し、
前記各加入者情報管理装置は、送信された加入者情報登録信号から加入者番号および加入者情報を取り出し、当該加入者番号および加入者情報を対応づけて記憶する
ことを特徴とする加入者情報登録システム。
【請求項２】
前記加入者情報通知信号を受信した交換装置は、加入者番号が加入者番号記憶部に記憶されていないと判定された場合、当該加入者情報通知信号から加入者情報を取り出し、当該加入者番号および加入者情報を含む加入者情報通知信号を他の交換装置に送信する
ことを特徴とする請求項１記載の加入者情報登録システム。
【請求項３】
前記各交換装置は、当該交換装置について設けられた加入者情報管理装置のアドレスを記憶したアドレス記憶部を有し、送信された加入者情報通知信号から取り出した加入者番号および加入者情報を当該アドレスを有する加入者情報管理装置に送信する
ことを特徴とする請求項１または２記載の加入者情報登録システム。
【請求項４】
複数の交換装置と、前記各交換装置について共通に設けられた網制御装置と、前記各交換装置について個別に設けられた加入者情報管理装置とを備え、前記各交換装置が、複数の加入者端末を収容するとともに当該各加入者端末を示す加入者番号を記憶した加入者番号記憶部を有する、加入者情報登録システムが行う加入者情報登録方法であって、
前記網制御装置による、いずれかの加入者端末から加入者が入力した加入者番号および加入者番号以外の加入者情報を直接受信した場合、当該加入者番号および加入者情報を含む呼制御信号である加入者情報通知信号をいずれかの交換装置に送信するステップと、
前記加入者情報通知信号を受信した交換装置による、受信した前記加入者情報通知信号から加入者番号を取り出し、当該加入者番号が当該交換装置の前記加入者番号記憶部に記憶されているか否かを判定するステップと、
前記加入者情報通知信号を受信した交換装置による、加入者番号が加入者番号記憶部に記憶されていると判定された場合、当該加入者情報通知信号から加入者情報を取り出し、当該加入者番号および加入者情報を含む加入者情報登録信号を、当該交換装置について設けられた加入者情報管理装置に送信するステップと、
前記加入者情報管理装置による、送信された加入者情報登録信号から加入者番号および加入者情報を取り出し、当該加入者番号および加入者情報を対応づけて記憶するステップと、を有する
ことを特徴とする加入者情報登録方法。
【請求項５】
前記加入者情報通知信号を受信した交換装置による、加入者番号が加入者番号記憶部に記憶されていないと判定された場合、当該加入者情報通知信号から加入者情報を取り出し、当該加入者番号および加入者情報を含む加入者情報通知信号を、他の交換装置に送信するステップを有する
こと特徴とする請求項４記載の加入者情報登録方法。
【発明の詳細な説明】
【技術分野】
【０００１】
本発明は、加入者情報登録システムおよび加入者情報登録方法に関するものである。
【背景技術】
【０００２】
従来の電話網では、電話網の交換装置を使用した加入者情報登録システムが構築され、交換装置に収容される加入者端末を使用する加入者についての加入者情報が、その交換装置について設けられた加入者情報管理装置に記憶される。
【０００３】
図６は、上記の加入者情報登録システムの概略構成図である。
【０００４】
ある加入者端末１４（以下、「加入者端末１４Ａ」という）は、加入者端末１４Ａを示す加入者番号および加入者情報を、加入者端末１４Ａを収容する交換装置１０１（以下、「交換装置１０１Ａ」という）を介して網制御装置１０２に送信する。
【０００５】
網制御装置１０２は、予め実装された名前解決モジュールにより、送信された加入者番号に応じた名前を含む名前解決要求を名前解決装置１５に送信する。
【０００６】
名前解決装置１５は、送信された名前解決要求内の名前に予め対応づけて記憶しておいたアドレスすなわち交換装置１０１Ａについて設けられた加入者情報管理装置１３（以下、「加入者情報管理装置１３Ａ」という）のアドレスを検索し、そのアドレスを含む名前解決応答を網制御装置１０２に送信する。
【０００７】
網制御装置１０２は、名前解決モジュールにより、名前解決応答を受信する。
【０００８】
名前解決装置１５は、網制御装置１０２以外の装置（図示せず）から名前解決要求が送信されたときにおいても同様のことを行う。
【０００９】
網制御装置１０２は、名前解決応答内のアドレスを有する加入者情報管理装置１３すなわち加入者情報管理装置１３Ａに対し、加入者番号および加入者情報を含む加入者情報登録信号を送信する。加入者情報管理装置１３Ａは、送信された加入者情報登録信号内の加入者番号および加入者情報を対応づけて記憶する。
【００１０】
この出願の発明に関連する先行技術文献情報としては次のものがある。  
【特許文献１】特許第３１４９８２号
【発明の開示】
【発明が解決しようとする課題】
【００１１】
上記のように、従来にあっては、網制御装置１０２は、どの加入者情報管理装置１３に加入者情報登録信号を送信すべきかを知るため、名前解決要求および名前解決応答の送受信を行う必要がある。また、名前解決装置１５は、名前解決要求内の名前に予め対応づけて記憶しておいたアドレスを検索し、そのアドレスを含む名前解決応答を網制御装置１０２に送信する必要がある。
【００１２】
そのため、網制御装置１０２には、名前解決要求および名前解決応答の送受信が可能なように、名前解決モジュールを実装する必要があり、その結果、網制御装置１０２を簡素化できないという問題がある。
【００１３】
また、名前解決装置１５に出入りするトラヒックの量は、網制御装置１０２以外の装置との間で送受信される名前解決要求および名前解決応答だけでも多いことがあり、ましてや、網制御装置１０２との間で名前解決要求および名前解決応答の送受信が必要となるので、トラヒックの量が非常に多くなるという問題がある。
【００１４】
また、名前解決装置１５への負荷は、網制御装置１０２以外の装置からの名前解決要求によるアドレスの検索と名前解決応答の送信を行うだけでも大きくなることがあり、ましてや、網制御装置１０２から送信される名前解決要求によるアドレスの検索と名前解決応答の送信が必要となるので、負荷が非常に大きくなるという問題がある。
【００１５】
本発明は、上記の課題に鑑みてなされたものであり、その目的とするところは、網制御装置の簡素化、名前解決装置に出入りするトラヒックの量および名前解決装置への負荷の軽減を図った加入者情報登録システムおよび加入者情報登録方法を提供することにある。
【課題を解決するための手段】
【００１６】
上記の課題を解決するために、請求項１の本発明は、複数の交換装置と、前記各交換装置について共通に設けられた網制御装置と、前記各交換装置について個別に設けられた加入者情報管理装置とを備え、前記各交換装置が、複数の加入者端末を収容するとともに当該各加入者端末を示す加入者番号を記憶した加入者番号記憶部を有する、加入者情報登録システムであって、前記網制御装置は、いずれかの加入者端末から加入者が入力した加入者番号および加入者番号以外の加入者情報を直接受信した場合、当該加入者番号および加入者情報を含む呼制御信号である加入者情報通知信号をいずれかの交換装置に送信し、前記加入者情報通知信号を受信した交換装置は、受信した前記加入者情報通知信号から加入者番号を取り出し、当該加入者番号が当該交換装置の前記加入者番号記憶部に記憶されているか否かを判定し、加入者番号が加入者番号記憶部に記憶されていると判定された場合、当該加入者情報通知信号から加入者情報を取り出し、当該加入者番号および加入者情報を含む加入者情報登録信号を、当該交換装置について設けられた加入者情報管理装置に送信し、前記各加入者情報管理装置は、送信された加入者情報登録信号から加入者番号および加入者情報を取り出し、当該加入者番号および加入者情報を対応づけて記憶することを特徴とする加入者情報登録システムをもって解決手段とする。
【００１７】
請求項２の本発明は、前記加入者情報通知信号を受信した交換装置は、加入者番号が加入者番号記憶部に記憶されていないと判定された場合、当該加入者情報通知信号から加入者情報を取り出し、当該加入者番号および加入者情報を含む加入者情報通知信号を他の交換装置に送信することを特徴とする請求項１記載の加入者情報登録システムをもって解決手段とする。
【００１８】
請求項３の本発明は、前記各交換装置は、当該交換装置について設けられた加入者情報管理装置のアドレスを記憶したアドレス記憶部を有し、送信された加入者情報通知信号から取り出した加入者番号および加入者情報を当該アドレスを有する加入者情報管理装置に送信することを特徴とする請求項１または２記載の加入者情報登録システムをもって解決手段とする。
【００１９】
請求項４の本発明は、複数の交換装置と、前記各交換装置について共通に設けられた網制御装置と、前記各交換装置について個別に設けられた加入者情報管理装置とを備え、前記各交換装置が、複数の加入者端末を収容するとともに当該各加入者端末を示す加入者番号を記憶した加入者番号記憶部を有する、加入者情報登録システムが行う加入者情報登録方法であって、前記網制御装置による、いずれかの加入者端末から加入者が入力した加入者番号および加入者番号以外の加入者情報を直接受信した場合、当該加入者番号および加入者情報を含む呼制御信号である加入者情報通知信号をいずれかの交換装置に送信するステップと、前記加入者情報通知信号を受信した交換装置による、受信した前記加入者情報通知信号から加入者番号を取り出し、当該加入者番号が当該交換装置の前記加入者番号記憶部に記憶されているか否かを判定するステップと、前記加入者情報通知信号を受信した交換装置による、加入者番号が加入者番号記憶部に記憶されていると判定された場合、当該加入者情報通知信号から加入者情報を取り出し、当該加入者番号および加入者情報を含む加入者情報登録信号を、当該交換装置について設けられた加入者情報管理装置に送信するステップと、前記加入者情報管理装置による、送信された加入者情報登録信号から加入者番号および加入者情報を取り出し、当該加入者番号および加入者情報を対応づけて記憶するステップと、を有することを特徴とする加入者情報登録方法をもって解決手段とする。
【００２０】
請求項５の本発明は、前記加入者情報通知信号を受信した交換装置による、加入者番号が加入者番号記憶部に記憶されていないと判定された場合、当該加入者情報通知信号から加入者情報を取り出し、当該加入者番号および加入者情報を含む加入者情報通知信号を、他の交換装置に送信するステップを有すること特徴とする請求項４記載の加入者情報登録方法をもって解決手段とする。
【発明の効果】
【００２１】
本発明によれば、網制御装置の簡素化、名前解決装置に出入りするトラヒックの量および名前解決装置への負荷の軽減を図ることができる。
【発明を実施するための最良の形態】
【００２２】
以下、本発明の実施の形態を図面を参照して説明する。
【００２３】
［第１の実施の形態］
図１は、第１の実施の形態に係る加入者情報登録システム１の概略構成図である。
【００２４】
加入者情報登録システム１は、電話網の加入者についての情報である加入者情報を登録するシステムであり、複数の交換装置１１と、各交換装置１１について共通に設けられた網制御装置１２と、各交換装置１１について個別に設けられた加入者情報管理装置１３とを備える。各交換装置１１は、複数の加入者端末１４を収容するとともに当該各加入者端末１４を示す加入者番号を記憶した加入者番号記憶部１１１と当該交換装置１１について設けられた加入者情報管理装置１３のアドレスを記憶したアドレス記憶部１１２を有する。
【００２５】
各加入者端末１４は、当該加入者端末１４を収容する交換装置１１に対し各種信号をＰＢ（Push Button）信号で送信するようになっている。
【００２６】
各交換装置１１は互いに接続されて通信可能となっている。各交換装置１１は網制御装置１２に接続されて通信可能となっている。
【００２７】
図２は、加入者情報登録システム１が行う加入者情報登録方法の一例を示すシーケンス図である。
【００２８】
いずれかの加入者端末１４（以下、「加入者端末１４Ａ」という）は、操作により、発呼信号を、加入者端末１４Ａを収容した交換装置１１（以下、「交換装置１１Ａ」という）に送信する（Ｓ１）。発呼信号は、加入者情報登録方法を開始する場合には、そのための起動番号を含む。
【００２９】
交換装置１１Ａは、発呼信号が起動番号を含むか否かを判定し（Ｓ３）、発呼信号が起動番号を含むなら、交換装置１１Ａは、起動番号を含む発呼信号を網制御装置１２に送信する（Ｓ５）。網制御装置１２は、交換装置１１Ａに応答信号を送信し、これにより、交換装置１１Ａは、加入者端末１４Ａに応答信号を送信する。
【００３０】
網制御装置１２は、発呼信号が起動番号を含むか否かを判定し（Ｓ７）、発呼信号が起動番号を含むなら、加入者端末１４Ａと網制御装置１２の間に交換装置１１Ａを介して確立された通信セッション（以下、単に「通信セッション」という）を介して、加入者端末１４Ａに対し、音声によるガイダンスを送信する（Ｓ９）。ガイダンスは、加入者端末１４Ａから加入者番号および加入者情報を網制御装置１２に送信させるための操作の案内である。
【００３１】
加入者端末１４Ａは、ガイダンスに応じた操作が行われると、ＰＢ信号により加入者番号および加入者情報を網制御装置１２に送信する（Ｓ１１）。
【００３２】
網制御装置１２は、加入者番号および加入者情報が送信された場合、当該加入者番号および加入者情報を含む加入者情報通知信号を交換装置１１Ａに送信する（Ｓ１３）。当該加入者情報通知信号は、例えば、電話網での呼の制御に必要な呼制御信号であり、その中に当該加入者番号および加入者情報は当該加入者情報通知信号がカプセル化される。以下に説明する加入者情報通知信号も同様である。
【００３３】
交換装置１１Ａは、加入者情報通知信号が送信された場合、加入者情報通知信号から加入者番号を取り出し、当該加入者番号が当該交換装置１１Ａの加入者番号記憶部１１１に記憶されているか否かを判定する（Ｓ１５）。
【００３４】
交換装置１１Ａは、加入者番号が加入者番号記憶部１１１に記憶されていると判定された場合、当該加入者情報通知信号から加入者情報を取り出し、当該加入者番号および加入者情報を含む加入者情報登録信号を、当該交換装置１１Ａについて設けられた加入者情報管理装置１３（以下、「加入者情報管理装置１３Ａ」という）に送信する（Ｓ１７）。具体的には、交換装置１１Ａは、自身のアドレス記憶部１１２からアドレスを読み出し、送信された加入者情報通知信号から取り出した加入者番号および加入者情報を含む加入者情報登録信号を当該アドレスを有する加入者情報管理装置１３つまり加入者情報管理装置１３Ａに送信する（Ｓ１７）。
【００３５】
加入者情報管理装置１３Ａは、加入者情報登録信号が送信された場合、当該加入者情報登録信号から加入者番号および加入者情報を取り出し、当該加入者番号および加入者情報を対応づけて記憶する（Ｓ１９）。
【００３６】
加入者情報管理装置１３Ａは、当該加入者番号および加入者情報を記憶したなら、その旨の応答信号を交換装置１１Ａに送信し（Ｓ２１）、交換装置１１Ａは、同様の意味の応答信号を網制御装置１２に送信する（Ｓ２３）。
【００３７】
網制御装置１２は、かかる応答信号が送信された場合、通信セッションを介して、加入者端末１４Ａに対し、音声によるガイダンスを送信する（Ｓ２５）。ガイダンスは、終了操作の案内であり、かかる操作により動作が終了する。
【００３８】
図３は、加入者情報登録システム１が行う加入者情報登録方法の他の一例を示すシーケンス図である。
【００３９】
ステップＳ１５までは、図２に示した方法と同じなので、説明を省略する。
【００４０】
交換装置１１Ａは、加入者番号が加入者番号記憶部１１１に記憶されていないと判定された場合、当該加入者情報通知信号から加入者情報を取り出し、当該加入者番号および加入者情報を含む加入者情報通知信号を、他の交換装置１１（以下、「交換装置１１Ｂ」という）に送信する（Ｓ３１）。
【００４１】
交換装置１１Ｂは、加入者情報通知信号が送信された場合、加入者情報通知信号から加入者番号を取り出し、当該加入者番号が当該交換装置１１Ｂの加入者番号記憶部１１１に記憶されているか否かを判定する（Ｓ３３）。
【００４２】
交換装置１１Ｂは、加入者番号が加入者番号記憶部１１１に記憶されていると判定された場合、当該加入者情報通知信号から加入者情報を取り出し、当該加入者番号および加入者情報を含む加入者情報登録信号を、当該交換装置１１Ｂについて設けられた加入者情報管理装置１３（以下、「加入者情報管理装置１３Ｂ」という）に送信する（Ｓ３５）。具体的には、交換装置１１Ｂは、自身のアドレス記憶部１１２からアドレスを読み出し、送信された加入者情報通知信号から取り出した加入者番号および加入者情報を含む加入者情報登録信号を当該アドレスを有する加入者情報管理装置１３つまり加入者情報管理装置１３Ｂに送信する（Ｓ３５）。
【００４３】
加入者情報管理装置１３Ｂは、加入者情報登録信号が送信された場合、当該加入者情報登録信号から加入者番号および加入者情報を取り出し、当該加入者番号および加入者情報を対応づけて記憶する（Ｓ３７）。
【００４４】
加入者情報管理装置１３Ｂは、当該加入者番号および加入者情報を記憶したなら、その旨の応答信号を交換装置１１Ｂに送信し（Ｓ３９）、交換装置１１Ｂは、同様の意味の応答信号を交換装置１１Ａに送信し（Ｓ４１）、交換装置１１Ａは、同様の意味の応答信号を網制御装置１２に送信する（Ｓ４３）。
【００４５】
網制御装置１２は、かかる応答信号が送信された場合、通信セッションを介して、加入者端末１４Ａに対し、音声によるガイダンスを送信する（Ｓ４５）。ガイダンスは、終了操作の案内であり、かかる操作により動作が終了する。
【００４６】
なお、交換装置１１Ｂは、加入者番号が加入者番号記憶部１１１に記憶されていないと判定された場合、交換装置１１Ａと同様に、加入者情報通知信号から加入者情報を取り出し、当該加入者番号および加入者情報を含む加入者情報通知信号を、他の交換装置１１に送信する。
【００４７】
こうして第１の実施の形態においては、加入者の加入者情報が１以上の交換装置１１を経由して加入者情報管理装置１３に登録される。また、当該加入者情報は、当該加入者に使用される加入者端末１４を収容する交換装置１１について設けられた加入者情報管理装置１３において当該加入者端末１４を示す加入者番号に対応づけて登録されることとなる。
【００４８】
なお、第１の実施の形態では、説明に使用したもの以外の交換装置１１や加入者情報管理装置１３であっても同様な加入者情報登録方法が実行される。
【００４９】
［第２の実施の形態］
図４は、第２の実施の形態に係る加入者情報登録システム１Ａの概略構成図である。
【００５０】
加入者情報登録システム１Ａは、第１の実施の形態に係る加入者情報登録システム１を構成する部分と同一の部分を有するので、同一部分には同一符号を付与し、重複説明を省略する。
【００５１】
加入者情報登録システム１Ａにあって、いずれかの加入者端末１４は、網制御装置１２に対して、直接的にアクセスできるように構成され、網制御装置１２もそのようなアクセスが可能となるように構成されている。
【００５２】
図５は、加入者情報登録システム１Ａが行う加入者情報登録方法の一例を示すシーケンス図である。
【００５３】
網制御装置１２に直接的にアクセスできるように構成された、いずれかの加入者端末１４（以下、「加入者端末１４Ａ」という）は、操作により、網制御装置１２に直接的にアクセスし、加入者番号および加入者情報を網制御装置１２に送信する（Ｓ１０１）
網制御装置１２は、加入者番号および加入者情報が送信された場合、当該加入者番号および加入者情報を含む加入者情報通知信号をいずれかの交換装置１１（以下、「交換装置１１Ａ」という）に送信する（Ｓ１０３）。
【００５４】
以下、図２に示したステップＳ１５以降の方法または図３に示したステップＳ１５以降の方法とほぼ同じであり、異なるのは、図５に示したステップＳ２５や図示しないがステップＳ４５では、網制御装置１２が、加入者情報等を登録した旨を示す応答信号を加入者端末１４Ａに送信し、これにより動作が終了することである。
【００５５】
なお、第２の実施の形態では、説明に使用したもの以外の交換装置１１や加入者情報管理装置１３であっても同様な加入者情報登録方法が実行される。
【００５６】
以上の通り、第１、第２の実施の形態に係る加入者情報登録システムによれば、網制御装置１２は、いずれかの加入者端末１４から加入者番号および加入者情報が送信された場合、当該加入者番号および加入者情報を含む加入者情報通知信号をいずれかの交換装置１１に送信し、各交換装置１１は、送信された加入者情報通知信号から加入者番号を取り出し、当該加入者番号が当該交換装置の加入者番号記憶部１１１に記憶されているか否かを判定し、加入者番号が加入者番号記憶部１１１に記憶されていると判定された場合、当該加入者情報通知信号から加入者情報を取り出し、当該加入者番号および加入者情報を含む加入者情報登録信号を、当該交換装置１１について設けられた加入者情報管理装置１３に送信し、各加入者情報管理装置１３は、送信された加入者情報登録信号から加入者番号および加入者情報を取り出し、当該加入者番号および加入者情報を対応づけて記憶することで、網制御装置１２は、当該加入者番号および加入者情報をどの加入者情報管理装置１３に送信すべきかを知る必要がない。また、それを知るために従来は必要であった名前解決装置１５は、網制御装置１２からの名前解決要求によりアドレスを検索し、そのアドレスを含む名前解決応答を網制御装置１２に送信する必要がない。
【００５７】
よって、網制御装置１２には、名前解決要求および名前解決応答の送受信が可能なように、名前解決モジュールを実装する必要がなく、その結果、網制御装置１２を簡素化することができる。
【００５８】
また、名前解決装置１５と網制御装置１２の間で必要だった名前解決要求および名前解決応答の送受信が不要となるので、名前解決装置１５に出入りするトラヒックの量を低減することができる。
【００５９】
また、名前解決装置１５では、網制御装置１２から送信される名前解決要求によるアドレスの検索と名前解決応答の送信が不要となるので、名前解決装置１５への負荷を軽減することができる。
【図面の簡単な説明】
【００６０】
【図１】第１の実施の形態に係る加入者情報登録システム１の概略構成図である。
【図２】加入者情報登録システム１が行う加入者情報登録方法の一例を示すシーケンス図である。
【図３】加入者情報登録システム１が行う加入者情報登録方法の他の一例を示すシーケンス図である。
【図４】第２の実施の形態に係る加入者情報登録システム１Ａの概略構成図である。
【図５】加入者情報登録システム１Ａが行う加入者情報登録方法の一例を示すシーケンス図である。
【図６】従来の加入者情報登録システムの概略構成図である。
【符号の説明】
【００６１】
１、１Ａ…加入者情報登録システム
１１、１１Ａ、１１Ｂ…交換装置
１２…網制御装置
１３、１３Ａ、１３Ｂ…加入者情報管理装置
１４、１４Ａ…加入者端末
１１１…加入者番号記憶部
１１２…アドレス記憶部
【図１】
0005030836.tif 000002
【図２】
0005030836.tif 000003
【図３】
0005030836.tif 000004
【図４】
0005030836.tif 000005
【図５】
0005030836.tif 000006
【図６】
0005030836.tif 000007